(57)【要約】【課題】電池電源部の使用容量が一定値を越えた際に電池消耗判定条件を変更して確認することで、電源容量消耗時の安全性を確保することを目的とする。【解決手段】電池使用時間判定部１２が電池電源部９の供給開始からの使用時間を電池使用時間計測部１２で計時し、その値が電池使用期限設定部１１の使用期限を越えると計時信号を出力する。この信号を受け電池低下判定部１３は擬似電流を計時信号入力後は計時信号入力前より多く設定し電池消耗判定を行なう。【選択図】図１
2008101864.tif 000002
【特許請求の範囲】
【請求項１】
異常時にガス通路を遮断する遮断弁とこの遮断弁を含む装置に動作電力を供給する電池電源部とを備えたガス遮断装置において、前記電池電源部の供給開始よりの使用時間を計測する電池使用時間計測部と、前記電池電源部の使用期限を設定する電池使用期限設定部と、前記電池使用時間計測部と前記電池使用期限設定部とを比較し電池使用時間が電池使用期限に到達したことを判定すると計時信号を出力する電池使用時間判定部と、前記電池電源部の電圧を予め定めた一定時間毎に監視し前記計時信号入力前は前記遮断弁の動作可能な電流を基に設定した擬似電流を前記電池電源部に供給させた時に、前記計時信号入力後は前記計時信号入力前より擬似電流を多く前記電池電源部に供給させた時に電池消耗判定を行う電圧低下検出部とを備えたガス遮断装置。
【請求項２】
電池電源部の使用期限を複数個備えた電池使用期限設定部と、電池使用時間が複数個の電池使用期限に到達する度に計時信号を出力する電池使用時間判定部と、前記電池電源部の電圧を予め定めた一定時間毎に監視し前記計時信号入力前は前記遮断弁を動作可能な電流を基に設定した擬似電流を前記電池電源部に供給させた時に、前記計時信号入力後は前記計時信号入力前の擬似電流より電池使用期限の設定値に応じて多く設定した擬似電流を電池電源部に供給させた時に電池消耗判定を行う電圧低下検出部とを備えた請求項１のガス遮断装置。
【請求項３】
電池電源部の使用期限を複数個備え、その使用期限を装置外より切換え可能な電池使用期限設定部を備えた請求項１のガス遮断装置。
【請求項４】
電池消耗したと判定した時に電圧低下検出部が電池電源部に供給させた擬似電流を記憶する請求項１〜３のいずれか１項記載のガス遮断装置。
【請求項５】
電圧低下検出部が電池電源部に供給させる擬似電流の情報を表示する請求項１〜３のいずれか１項記載のガス遮断装置。
【請求項６】
電圧低下検出部が電池電源部に供給させる擬似電流の情報を外部に出力する請求項１〜３のいずれか１項記載のガス遮断装置。
【発明の詳細な説明】
【技術分野】
【０００１】
本発明は、例えば都市ガスやＬＰガス等を利用するガス器具の使用状態を監視するような遮断装置において、電池電源部の電源容量消耗時の安全性を確保するガス遮断装置に関する。
【背景技術】
【０００２】
従来のこの種の遮断装置は、例えばガス遮断装置では図２のような構成になっていた（例えば、特許文献１参照）。図２は従来のガス遮断装置の制御ブロック図を示す。
【０００３】
図２のガス遮断装置１において、２は電池電源部で、ガス遮断装置全体に電源を供給する。３は遮断弁で、流路でのガスの供給を停止したり、供給したりする。
【０００４】
４は電圧低下検出部で、ガス遮断装置１の動作が可能な電池電源部２の容量が残されている動作保証電圧から遡る所定時間を考慮した電池電圧を検知して電磁弁に電池電圧低下信号Ａを出力する。５は開栓受付部で、電圧低下信号Ａが入力された時から遮断弁の開栓受付を行って、開栓要求（開栓要求スイッチ又は通信による開栓信号の入力）があった時に開栓要求信号Ｃを出力する。６はタイマ部で、電圧低下信号Ａが入力された時から所定の動作保証時間をカウントして開栓終了信号Ｄを出力する。７は開栓機能停止部で、開栓終了信号Ｄが入力されたときに開栓要求信号Ｃによる開栓を停止する閉栓停止信号Ｅを出力する。８はガス遮断制御部で、電池電圧低下信号Ａ又は閉栓停止信号Ｅが入力された時遮断弁３を閉栓動作させ、閉栓停止信号Ｅの入力信号以前に開栓要求信号Ｃが入力された時には遮断弁３を開栓させる。
【０００５】
次に従来例の構成の動作を説明する。電池電源部２の消耗度をチェックしている電圧低下検出部４が電池消耗電圧を検出したとき、電池電圧低下信号Ａを開栓受付部５とタイマ部６とガス遮断制御部８に出力する。電圧低下信号Ａが入力されたガス遮断制御部８は、第一の遮断命令信号Ｂ１を出力して遮断弁３を動作させ、ガス通路の閉栓を実行する。タイマ部６は電圧低下信号Ａが入力されるとカウント開始し、このタイマ部６により所定時間のカウント終了する迄の間に、開栓受付部５に開栓要求があり、開栓要求信号Ｃが出力された時には、ガス遮断制御部８は遮断弁３を開栓する。タイマ部６でカウント終了したとき、開栓終了信号Ｄが出力されるので、開栓機能停止部７は閉栓停止信号Ｅを出力して開栓要求の受付を停止する。閉栓停止信号Ｅが入力されたガス遮断装置１は第二の遮断命令信号Ｂ２を出力して遮断弁３を閉栓する。
【０００６】
都市ガス、ＬＰガス等の媒体ガスの流れる流路に取り付けられたガス遮断装置１において、電圧低下検出部４は所定時間間隔毎に電池電源部２の電圧を測定し電池の消耗度を監視している。予めガス遮断装置１を動作させ得る下限値の電圧を動作保証電圧として設定しておき、ここから所要の日数分逆上った時の電圧値を電池消耗電圧として設定する。電圧低下検出部４は、電池電圧を監視してこの消耗時の電池電圧を検出する。即ち所要日数分だけ電池消耗電圧が検出されてから電池電源部２の電圧が動作保証電圧迄低下する期間だけ遮断弁３の開栓が可能としてガス遮断装置１を交換するまでの猶予期間を設けたものである。
【特許文献１】特開平１０−１０３５４６号公報
【発明の開示】
【発明が解決しようとする課題】
【０００７】
しかしながら上記従来の構成では下記問題点があった。電圧低下検出部が、所定時間間
隔毎に電池電圧を監視し電池電圧低下判定するにあたり、電圧低下検出部は、予め計算や実験等で求めた遮断弁を動作可能な電流値を電池電圧低下判定電流として電池電源部に供給させ、その時の電池電源部の電圧と電池消耗電圧とを比較する事で行っていた。この理由を下記に述べる。電池電圧部を構成する電池には内部抵抗が有り、電池の等価回路は、内部抵抗と当初の電圧を保持する理想電池とが直列に接続する事で表されている。そして、内部抵抗値は経年変化により徐々に増加する特性を有している。今、電池電源部から電流を取出すと、この内部抵抗により抵抗値と取出した電流の積の分だけがＩＲドロップとして電圧ロスとなり、電池電源部の電圧はその分だけ低下してしまう。一方、遮断弁の動作電流は、その他各部の動作電流と比較すると著しく多い為に内部抵抗の影響を最も大きく受ける。したがって、電池電圧低下判定時には遮断弁を動作可能な擬似電流を流す事で最大のＩＲドロップを生じさせて、その時の電池電源部の電圧をもって、本装置が動作可能であるかを判定しているのである。
【０００８】
しかしながら、電池電源部の電池の内部抵抗は一定の使用容量を越えると時間経過とともに急速に増加し、その増加分は電池の個体バラツキや使用環境の差によって大きなバラツキを生じる。また、電池電圧低下判定は予め定めた一定時間毎に間欠的に行っているために、最悪の場合は電池電圧低下を検出した時には予め定めた電池消耗電圧よりも電池電圧の低下が進み、電池電圧低下検出から所定時間後に遮断弁を動作しようとしても出来ない場合も考えられる。
【０００９】
また、その防止策として、電池電圧低下判定時の擬似電流を全ての電池の内部抵抗値の増加分を加味した値に設定することは可能であるが、電池が十分に消耗していないにも関わらず電池電圧が低下したと判定してしまう事が考えられ、ガス遮断装置の使用期限を守ろうとすれば電池電源部の電池容量を増やす必要が有るので経済的では無いという課題を有していた。
【００１０】
本発明は、前記従来の課題を解決するもので、電池電源部の電源容量消耗時の安全性を確保するガス遮断装置を供給することを目的とする。
【課題を解決するための手段】
【００１１】
前記従来の課題を解決するために、本発明のガス遮断装置は、電池使用時間判定部が電池電源部の供給開始からの使用時間を電池使用時間計測部により計時し、あらかじめ設定した電池使用期限設定部の使用期限を越えると計時信号を出力する。（ここで、使用期限の設定値はガス遮断装置が単位時間に使用する電池消費量を基に、電池の内部抵抗値の増加や、その増加分に大きなバラツキが生じる電池電源部の使用容量を時間に換算した値である）。この計時信号を基に電池使用時間判定部が、計時信号入力前は遮断弁が動作可能な電流を基に設定した擬似電流を電池電源部に供給させた時に、また計時信号入力後は電池の内部抵抗値のバラツキの増加分を加味して計時信号入力前より多く設定した擬似電流で電池消耗判定を行うようにしたものである。これによって、電池電源部が一定の使用容量を越える前の電池電消耗判定は、遮断弁が動作可能な電流を基に設定した擬似電流を電池電源部に供給させた時に行うために従来通りの電池消耗判定が出来る。
【００１２】
また、電池電源部が一定の使用容量を越えた後の電池消耗判定は、電池の内部抵抗値のバラツキの増加分を加味して計時信号入力前より多く設定した擬似電流で行う。このことで、電池消耗判定を行う前に電池の消耗が進み遮断弁を動作しようとしても出来ないという問題を減じることが出来る。
【００１３】
また、その防止のために電池消耗判定を行う擬似電流を全ての電池の内部抵抗のバラツキの増加分を加味した多い値に設定することは可能であるが、電池が十分に消耗していないにも関わらず電池が消耗したと判定してしまうことが考えられ、ガス遮断装置の使用期
限を守ろうとすれば電池電源部の電池容量を増やす必要が生じるという経済的な問題を減じることが出来る。
【発明の効果】
【００１４】
本発明のガス遮断装置は、電池電源部が一定の使用容量を越えた後は電池消耗判定を電池の内部抵抗値のバラツキの増加分を加味して多く設定した擬似電流で行うため、電池消耗判定を行う前に電池消耗が進み遮断弁を動作しようとしても出来ないという問題を減じることが出来る。
【００１５】
また、その防止のために電池消耗判定を行う擬似電流を全ての電池の内部抵抗値のバラツキの増加分を加味した多い値に設定することは可能であるが、電池が十分に消耗していないにも関わらず電池が消耗した判定してしまうことが考えられ、ガス遮断装置の使用期限を守ろうとすれば電池電源部の電池容量を増やす必要が生じるという経済的な問題を減じることができるという効果を有する。
【発明を実施するための最良の形態】
【００１６】
第１の発明は、異常時にガス通路を遮断する遮断弁とこの遮断弁を含む装置に動作電力を供給する電池電源部とを備えたガス遮断装置において、前記電池電源部の供給開始よりの使用時間を計測する電池使用時間計測部と、前記電池電源部の使用期限を設定する電池使用期限設定部と、前記電池使用時間計測部と前記電池使用期限設定部とを比較し電池使用時間が電池使用期限に到達したことを判定すると計時信号を出力する電池使用時間判定部と、前記電池電源部の電圧を予め定めた一定時間毎に監視し前記計時信号入力前は前記遮断弁の動作可能な電流を基に設定した擬似電流を前記電池電源部に供給させた時に、前記計時信号入力後は前記計時信号入力前より擬似電流を多く前記電池電源部に供給させた時に電池消耗判定を行う電圧低下検出部とすることにより、電池電源部が一定の使用容量を越えた後は電池消耗判定を電池の内部抵抗のバラツキの増加分を加味して計時信号入力前よりも多く設定した擬似電流で行うため、電池消耗判定を行う前に遮断弁を動作しようとしても出来ないという問題を減じることが出来る。また、その防止のために電池消耗判定を行う擬似電流を全ての電池の内部抵抗値のバラツキの増加分を加味した多い値に設定することは可能であるが、電池が十分に消耗していないにも関わらず電池電圧が低下した判定してしまう事が考えられ、ガス遮断装置の使用期限を守ろうとすれば電池電源部の電池容量を増やす必要が生じるという経済的な問題を減じることが出来る。
【００１７】
第２の発明は、電池電源部の使用期限を複数個備えた電池使用期限設定部と、電池使用時間が複数個の電池使用期限に到達する度に計時信号を出力する電池使用時間判定部と、前記電池電源部の電圧を予め定めた一定時間毎に監視し前記計時信号入力前は前記遮断弁を動作可能な電流を基に設定した擬似電流を前記電池電源部に供給させた時に、前記計時信号入力後は前記計時信号入力前の擬似電流より電池使用期限の設定値に応じて多く設定した擬似電流を電池電源部に供給させた時に電池消耗判定を行う電圧低下検出部とすることにより、使用期限を複数個備えているために、電池の内部抵抗値のバラツキの増加分が時間を追って大きくなるような場合でも、電池電源部の使用容量に対応して多く設定した擬似電流で電池消耗判定を行う事が出来る様になり、より確実に電池の内部抵抗値のバラツキの増加に応じた電池消耗判定が可能となる。
【００１８】
第３の発明は、電池電源部の使用期限を複数個備え、その使用期限を装置外より切換え可能な電池使用期限設定部とすることにより、計時信号入力後の使用期限を装置外より切換え可能なため、装置を製造した後においても出荷する地域（例えば気温変化が激しい地域の方が電池の内部抵抗値の増加や、増加分のバラツキが大きい）にあわせて使用期限を切換えることが可能になる。このことで、使用環境による電池電源部の一定使用容量を越えた後の電池の内部抵抗値の増加や、その増加分のバラツキの違いを加味した使用期限を
設定することができるため、より確実に電池の内部抵抗値の増加や、その増加分のバラツキに応じた電池消耗判定が可能となる。
【００１９】
第４の発明は、電池消耗したと判定した時に電圧低下検出部が電池電源部に供給させた擬似電流を記憶することにより、この記憶を基に電池電源部の使用容量がどのような状態で電池消耗判定をおこなったかを分析することが可能となり、その分析を基に電池使用期限設定部の使用期限が実使用に則している値かどうかを判断することが出来る。この判断を基にした使用期限を設定することで、より確実に電池の内部抵抗値の増加や、その増加分のバラツキに応じた電池消耗判定が可能となる。
【００２０】
第５の発明は、電圧低下検出部が電池電源部に供給させる擬似電流の情報を表示することにより、この表示を見ると装置の電池電源部の使用容量の状態がわかり、多数設定した擬似電流の情報の表示により電池電源部の寿命が近づいていることを認知できる。
【００２１】
第６の発明は、電圧低下検出部が電池電源部に供給させる擬似電流の情報を外部に出力することにより、この情報を知ることで装置の電池電源部の使用容量が一定値を越えたことをリアルタイムで知る事が可能となり、電池電源部の寿命が近づいていることをより正確に認知できる。
【００２２】
以下、本発明の実施の形態について、図面を参照しながら説明する。なお、この実施の形態によって本発明が限定されるものではない。また、本発明の実施の形態はガス遮断装置で説明するが、本発明はガスに限らず水道や電力、燃焼燃料などの電池電圧判定装置であってもよい。
【００２３】
（実施の形態１）
図１は本発明の第1の実施の形態におけるガス遮断装置の制御ブロック図を示すものである。
【００２４】
図１において９電源電圧部である。１０は電池使用時間計測部であり、電池電源部９の供給開始からの使用時間を計測する。１１は電池使用期限設定部であり使用期限を設定する。１２は電池使用時間判定部であり前記電池使用時間と前記電池使用期限とを比較し、電池使用時間が電池使用期限を越えると次段に計時信号を出力する。１３は電圧低下検出部であり電池電源部９の電池電圧を一定時間間隔毎に監視している。１４は表示部であり計時信号が有ればそのことを表示するように設けられている。
【００２５】
次に動作、作用について説明すると電池使用時間判定部１２が電池電源部９の供給開始からの使用時間を電池使用時間計測部１２により計時し、あらかじめ設定した電池使用期限設定部１１の使用期限を越えると計時信号を出力する。ここで使用期限の設置値は本装置が単位時間毎に使用する電池消費量（一般的に装置の動作パターンが一定であるのでほぼ一定値となる。もしバラツキが有る場合は安全の為に最悪値を使用する）を基に、電池の内部抵抗値が増加し、またその増加分に大きなバラツキが生じる電池電源部９の使用容量（電池の種類によって異なるが、電池容量の数十パーセントが目安）を時間に換算した値である。前述の計時信号を基に電池使用時間判定部１３が計時信号入力前は電池電源部の電圧消耗判定を予め定めた一定時間毎に、遮断弁１５を動作可能な電流を基に設定した擬似電流で、また、計時信号入力後は電池の内部抵抗の増加分を加味して計時信号入力前より多く設定した擬似電流で行う様にしている。
【００２６】
また、電池使用期限設定部１１は電池電源部９の使用期限を複数個備え、電池使用時間判定部１２は電池使用時間が複数個の電池使用期限に到達する度に計時信号を出力すると、電池電源部９の電圧を計時信号入力前は遮断弁１５を動作可能な電流を基に設定した擬
似電流で、計時信号入力後は計時信号入力前より電池使用期限の設定値に応じて多く設定した擬似電流により監視し、電圧低下検出部１３が電池消耗判定を行ってもよい。これによって、使用期限を複数個備えているために、電池の内部抵抗値の増加やその増加分のバラツキが時間を追って大きくなるような場合でも、電池電源部９の使用容量に対応した電池消耗判定を行うことが出来る様になり、より確実に電池の内部抵抗値が増加する速さに応じた電池消耗判定が可能となる。
【００２７】
また電池使用期限設定部１２は電池電源部９の使用期限を複数個備えてその使用期限を装置外より切換え可能としてもよい。これによって、計時信号入力後の使用期限を装置外より切換え可能なため、装置を製造した後においても出荷する地域（例えば気温変化が激しい地域の方が電池の内部抵抗値の増加や、その増加分のバラツキが大きい）にあわせて使用期限を切換えることが可能になる。このことで、使用環境による電池電源部９の一定使用容量を越えた後の電池の内部抵抗値の増加や、その増加分のバラツキの違いを加味した使用期限を設定することができるため、より確実に電池の内部抵抗値の増加や、その増加分のバラツキに応じた電池消耗判定が可能となる。
【００２８】
また、電池消耗したと判定した時に電圧低下検出部１３が電池電源部９に供給させて擬似電流を記憶してもよい。これによって、この記憶を基に電池電源部９の使用容量がどのような状態で電池消耗判定をおこなったかを分析することが可能となり、その分析を基に電池使用期限設定部１１の使用期限が実使用に則している値かどうかを判断することが出来る。この判断を基にした使用期限を設定することで、より確実に電池の内部抵抗値の増加や、その増加分のバラツキに応じた電池電圧判定が可能となる。
【００２９】
また、電圧低下検出部１３が電池電源部９に供給させる擬似電流の情報を表示部１４に表示してもよい。これによって、この表示を基に電池電源部９の使用容量の状態がわかり、電池電源部９の寿命が近づいていることを認知できる。表示部１４は計時信号を入力したことや電池電源部９の電池消耗判定を行なう擬似電流を表示して電池電源部９の寿命が近いことを本装置に関係する人（例えばガス供給業者、一般ユーザー等）に知らせるようにしている。
【００３０】
また、電圧低下検出部１３が電池電源部９に供給させて擬似電流の情報を外部に出力するものである。そして、この情報を知ることによって装置の電池電源部９の使用容量が一定値を越えたことをリアルタイムで知る事が可能となり、電池電源部９の寿命が近づいていることをより正確に認知できる。電話回線などの通信回線網を通してガス供給業者の報知装置（図示しない）などガス遮断装置の外部に知らせてもよい。
【図面の簡単な説明】
【００３１】
【図１】本発明の実施例１のガス遮断装置の制御ブロック図
【図２】従来のガス遮断装置の制御ブロック図
【符号の説明】
【００３２】
２、９  電池電源部
３、１５  遮断弁
１０  電池使用時間計測部
１１  電池使用期限設定部
１２  電池使用時間判定部
１３  電池低下判定部
１４  表示部
【図１】
2008101864.tif 000003
【図２】
2008101864.tif 000004